(57)【要約】【課題】  使用位置と非使用位置との間で移動可能な吐水手段と、吐水手段への給水を切り入りする給水手段と、給水手段を操作する操作手段と、操作手段を給水停止位置にロックするロック手段と備える吐水装置であって、非使用位置に在る吐水手段からの吐水を、特許文献１、２の吐水装置と比べてより効果的に防止できる吐水装置を提供する。【解決手段】  使用位置と非使用位置との間で移動可能な吐水手段と、吐水手段への給水を切り入りする給水手段と、給水手段を操作する操作手段と、操作手段を給水停止位置にロックするロック手段と、吐水手段が非使用位置に在る時に操作手段を給水停止位置にロックしたロック手段の操作を阻止する操作阻止手段とを備える。【選択図】  図１
2007198092.tif 000002
【特許請求の範囲】
【請求項１】
使用位置と非使用位置との間で移動可能な吐水手段と、吐水手段への給水を切り入りする給水手段と、給水手段を操作する操作手段と、操作手段を給水停止位置にロックするロック手段と、吐水手段が非使用位置に在る時に操作手段を給水停止位置にロックしたロック手段の操作を阻止する操作阻止手段とを備えることを特徴とする吐水装置。
【請求項２】
操作阻止手段は吐水手段と一体化されていることを特徴とする請求項１に記載の吐水装置。
【請求項３】
使用位置と非使用位置との間で回動可能な吐水管と、吐水管への給水を切り入りする給水栓と、給水栓を操作する回動可能な操作ハンドルと、操作ハンドルを給水停止位置にロックするロックボタンと、吐水管と一体化されて吐水管と一体的に回動し、吐水管が非使用位置に在る時に操作ハンドルを給水停止位置にロックしたロックボタンを覆ってロックボタンの操作を阻止するロックボタンカバーとを備えることを特徴とする吐水装置。
【発明の詳細な説明】
【技術分野】
【０００１】
本発明は、吐水装置に関するものである。
【背景技術】
【０００２】
使用位置と非使用位置との間で移動可能な吐水手段と、吐水手段への給水を切り入りする給水手段と、給水手段を操作する操作手段と、操作手段を給水停止位置にロックするロック手段と備える吐水装置が特許文献１に開示されている。特許文献１の吐水装置は、非使用位置にある吐水手段からの予期せぬ吐水を、操作手段をロックすることにより防止するものであるが、ロック手段と操作手段の誤操作を効果的に防止できない欠点がある。上記課題に鑑みて、特許文献２は、吐水手段が非使用位置に在る時に操作手段に接近して操作手段の操作を規制する規制手段を設けた吐水装置を開示している。
【特許文献１】特開平８−２３２３２１号公報
【特許文献２】特許第３２３５４９７号公報
【発明の開示】
【発明が解決しようとする課題】
【０００３】
特許文献２の吐水装置は、非使用位置に在る吐水手段からの吐水を、特許文献１の吐水装置に比べて効果的に防止しているが、吐水手段が非使用位置に在る時でもロック手段の操作は自由であり、規制手段も操作手段の操作に抵抗するが当該操作を禁止するものではないので、不慣れな使用者が、吐水管が非使用位置に在る時にロック手段を操作してロック解除し、規制手段からの抵抗に逆らって操作手段を操作して、吐水させる可能性はある。
本発明は上記課題に鑑みてなされたものであり、使用位置と非使用位置との間で移動可能な吐水手段と、吐水手段への給水を切り入りする給水手段と、給水手段を操作する操作手段と、操作手段を給水停止位置にロックするロック手段と備える吐水装置であって、非使用位置に在る吐水手段からの吐水を、特許文献１、２の吐水装置と比べてより効果的に防止できる吐水装置を提供することを目的とする。
【課題を解決するための手段】
【０００４】
上記課題を解決するために、本発明においては、使用位置と非使用位置との間で移動可能な吐水手段と、吐水手段への給水を切り入りする給水手段と、給水手段を操作する操作手段と、操作手段を給水停止位置にロックするロック手段と、吐水手段が非使用位置に在る時に操作手段を給水停止位置にロックしたロック手段の操作を阻止する操作阻止手段とを備えることを特徴とする吐水装置を提供する。
本発明に係る吐水装置においては、吐水手段が非使用位置に在る時に操作手段を給水停止位置にロックしたロック手段の操作を阻止する操作阻止手段を設けたので、非使用時の操作手段の操作が不能になり、非使用時の操作手段の誤操作が防止され、非使用時の吐水手段からの吐水が防止される。特許文献２の吐水装置においては、吐水手段が非使用位置に在る時でもロック手段を操作してロックを解除することは可能であるのに対し、本発明に係る吐水装置においては、吐水手段が非使用位置に在る時には、操作阻止手段を操作した後でないとロック手段を操作できないので、非使用位置に在る吐水手段からの吐水が、特許文献２の吐水装置と比べてより効果的に、当然ながら特許文献１の吐水装置と比べてもより効果的に、防止される。
【０００５】
本発明の好ましい態様においては、操作阻止手段は吐水手段と一体化されている。
操作阻止手段を吐水手段と一体化させて吐水手段と連動させることにより、吐水手段が非使用位置に在る時に操作手段を止水位置にロックしたロック手段の操作を確実に阻止することができる。
【０００６】
本発明においては、使用位置と非使用位置との間で回動可能な吐水管と、吐水管への給水を切り入りする給水栓と、給水栓を操作する回動可能な操作ハンドルと、操作ハンドルを給水停止位置にロックするロックボタンと、吐水管と一体化されて吐水管と一体的に回動し、吐水管が非使用位置に在る時に操作ハンドルを給水停止位置にロックしたロックボタンを覆ってロックボタンの操作を阻止するロックボタンカバーとを備えることを特徴とする吐水装置を提供する。
本発明に係る吐水装置においては、吐水管と一体化されて吐水管と一体的に回動し、吐水管が非使用位置に在る時に操作ハンドルを給水停止位置にロックしたロックボタンを覆ってロックボタンの操作を阻止するロックボタンカバーを設けたので、非使用時の操作ハンドルの操作が不能になり、ひいては非使用時の操作ハンドルの誤操作が阻止される。ロックボタンカバーは吐水管と一体化されて吐水管と一体的に回動するので、吐水管が非使用位置に在る時に操作ハンドルを止水位置にロックしたロックボタンを確実に覆うことができる。
【発明の効果】
【０００７】
本発明に係る吐水装置においては、吐水手段が非使用位置に在る時に操作手段を給水停止位置にロックしたロック手段の操作を阻止する操作阻止手段を設けたので、非使用時の操作手段の操作が不能になり、ひいては非使用時の操作手段の誤操作が防止される。
【発明を実施するための最良の形態】
【０００８】
本発明の実施例に係る吐水装置を説明する。
図１に示すように、便器１００の後方のトイレルーム側壁に、尿瓶洗浄装置１が取り付けられている。
尿瓶洗浄装置１は、トイレルーム側壁から突出する給水管２に接続されて水平に延在する水栓本体３を備えている。
水栓本体３の一端に水栓本体３と同軸に且つ回動可能に操作ハンドル４が取り付けられている。操作ハンドル４を手動により回動させて、水栓本体３を給水状態と止水状態との間で操作する。
操作ハンドル４にロックボタン５が取り付けられている。操作ハンドル４が図１に示す給水停止位置に在る時に、ロックボタン５は操作ハンドル４の表面から突出し、操作ハンドル４を給水停止位置にロックしている。
【０００９】
吐水管６の一端が水栓本体３の他端に水栓本体３と同軸に且つ回動可能に取り付けられている。吐水管６の中間部は屈曲し、給水管６の他端に前記一端と直交する方向に差し向けられた吐水口６ａが取り付けられている。吐水管６は、図１に示す便器１００の後方へ起立した非使用位置と、図２に示す便器１００の上方へ倒れた使用位置との間で、手動により回動する。
ロッド７を介して吐水管６の前記一端に固定されたリング部材８が水栓本体３の前記一端近傍部に回動可能に外嵌合している。リング部材８にロックボタンカバー９が固定されている。図１に示すように、ロックボタンカバー９は、吐水管６が非使用位置に在る時に、給水停止位置に在る操作ハンドル４の表面から突出し操作ハンドル４を給水停止位置にロックしているロックボタン５を覆って、ロックボタン５の操作を阻止している。吐水管６が、図１に示す非使用位置から図２に示す使用位置へ回動すると、ロックボタンカバー９も吐水管６と一体的に回動してロックボタン５から離れる。この結果、ロックボタン５は剥き出しになり操作可能となる。
【００１０】
尿瓶洗浄装置１の作動を説明する。
便器１００上方で尿瓶を洗浄する際に、吐水管６を図１に示す非使用位置から図２に示す使用位置まで手動によって回動させる。ロックボタンカバー９が吐水管６と一体的に回動し、操作ハンドル４を給水停止位置にロックしているロックボタン５から離れる。次いで、図２に示すように、便座１０１を起立させ吐水管６を便座１００の中央開口に挿通させて、吐水管６の吐水口６ａを便器１００のボウル部に上方から直接対峙させる。剥き出しになったロックボタン５を押し込んでロック解除し、操作ハンドル４を給水停止位置から二重矢印方向へ給水位置まで手動によって回動させ、水栓本体３を止水状態から給水状態へ移行させる。吐水管６の吐水口６ａから吐出する洗浄水を用いて、尿瓶を洗浄する。
【００１１】
尿瓶の洗浄完了後、操作ハンドル４を給水位置から給水停止位置まで手動によって回動させ、水栓本体３を給水状態から止水状態へ移行させて、吐水口６ａからの吐水を停止させる。ロックボタン５が操作ハンドル４の表面から突出し、操作ハンドル４を給水停止位置にロックする。便座１０１を倒して吐水管６を便座１００の中央開口から離脱させる。吐水管６を図１に示す非使用位置まで手動によって回動させる。ロックボタンカバー９が吐水管６と一体的に回動し、操作ハンドル４を給水停止位置にロックしているロックボタン５を覆って、ロックボタン５の操作を阻止する。
【００１２】
上記説明から分かるように、吐水装置１においては、吐水管６と一体化されて吐水管６と一体的に回動し、吐水管６が非使用位置に在る時に操作ハンドル４を給水停止位置にロックしたロックボタン５を覆ってロックボタン５の操作を阻止するロックボタンカバー９を設けたので、非使用時の操作ハンドル４の操作が不能になり、ひいては非使用時の操作ハンドル４の誤操作が阻止される。ロックボタンカバー９は吐水管６と一体化されて吐水管６と一体的に回動するので、吐水管６が非使用位置に在る時に操作ハンドル４を給水停止位置にロックしたロックボタン５を確実に覆うことができる。
特許文献２の吐水装置においては、吐水手段が非使用位置に在る時でもロック手段は操作可能であるのに対し、本実施例に係る吐水装置においては、吐水管６が非使用位置に在る時には、ロックボタンカバー９を手動で回してロックボタン５を剥き出しにした後でないとロックボタン５は操作できないので、非使用位置に在る吐水管６からの吐水が、特許文献２の吐水装置と比べてより効果的に、当然ながら特許文献１の吐水装置と比べてもより効果的に、防止される。
【００１３】
本発明は上記実施例に限定されない。吐水管を収納部に引き出し押し込み可能に構成し、押し込んだ状態では吐水管に取り付けたカバーが操作ハンドルのロックボタンを覆い或いはロックボタンに係合してロックボタンの操作を不能にするように構成しても良く、或いは吐水管を伸縮可能に構成し、縮んだ状態では吐水管に取り付けたカバーが操作ハンドルのロックボタンを覆い或いはロックボタンに係合してロックボタンの操作を不能にするように構成しても良い。吐水管をホースとシャワーヘッドとで構成し、非使用時にシャワーヘッドをハンガーに係止させるとシャワーヘッドがロックボタンを覆い或いはロックボタンに係合してロックボタンの操作を不能にするように構成しても良い。ロックボタン５に代えて、操作ハンドル４を可動部と固定部とで構成し、固定部に形成したキー溝に係合可能な可動キーを可動部に取り付け、吐水管６が非使用位置に在る時にロックボタンカバー９がキー溝に係合した可動キーを覆うように構成しても良い。
【産業上の利用可能性】
【００１４】
本発明は、尿瓶洗浄装置のみならず、吐水手段が使用位置と非使用位置との間で移動可能な各種吐水装置に利用可能である。
【図面の簡単な説明】
【００１５】
【図１】本発明の実施例に係る吐水装置の斜視図である。
【図２】本発明の実施例に係る吐水装置の斜視図である。
【符号の説明】
【００１６】
１  尿瓶洗浄装置
２  給水管
３  水栓本体
４  操作ハンドル
５  ロックボタン
６  吐水管
６ａ  吐水口
７  ロッド
８  リング部材
９  ロックボタンカバー
１００  便器
１０１  便座
【図１】
2007198092.tif 000003
【図２】
2007198092.tif 000004